(57)【要約】【課題】従来の埃の吸着を抑制するスプレーによるフィルターは、静電気の発生を抑えることにより、埃が物体に吸着されることを抑制する効果はあったが、埃が一度吸着すれば効果を持続できず、ハウスダストやアレルギーの問題に苦しむ家庭においては、問題の本質的解決には至らなかった、また光触媒を応用した製品というのは手軽さ・使いやすさという点に課題があった。【解決手段】チタン化合物の基本特性を活かし、耐久性及び適用性に優れたチタン化合物を混合した高分子ポリマーにより形成されたフィルターを提供し、紫外線・可視光線の照射下で光触媒作用を示すチタン化合物を高分子ポリマーを材料とするフィルターを提供できる方法を示すことで、対象物表面の埃・汚れ・カビ粒子を分解することを可能にした。【選択図】図１
2006110435.tif 000002
【特許請求の範囲】
【請求項１】
光触媒としての活性を持つチタン化合物と高分子ポリマーから形成される樹脂、および前記２つの物質と不活性な性質を持つ有機溶剤と噴射ガスを混合した内容物で対象物に光触媒膜を形成するノズルから噴射する液状フィルター。
【請求項２】
光触媒としての活性を持つチタン化合物と高分子ポリマーから形成される樹脂から形成された対象物に貼り付けて使用するシート状フィルター。
【発明の詳細な説明】
【技術分野】
【０００１】
本発明は、可視光および紫外光に吸収帯をもち、物体表面に照射された可視領域および紫外光領域の光を吸収することで、半永続的に光触媒作用を示すことができるチタン化合物の基本特性を活かし、耐久性と機能性に優れた被膜で対象物を保護することが可能なフィルターに関するものである。
【背景技術】
【０００２】
一般に、チタンを主成分とする光触媒は、対象となる有機物と接触することで、光触媒作用を示すものが大半であった。しかし、直接接触した全ての有機物を分解してしまうチタン化合物の選択性のなさからチタン化合物を含むプラスチックや合成繊維から構成される製品は開発困難とされてきた。
【０００３】
しかし、環境材料化学研究グループの垰田博史グループ長らが考案し、既に基本特許を取得している、その表面に光触媒活性を持たないセラミックスを部分的に付けた光触媒が開発された。このチタン化合物をプラスチックスに練り込んで使用すると、光触媒活性を持たないセラミックスが二酸化チタン光触媒とプラスチックスが接触するのを防ぐため、繊維やプラスチックスが分解されないで、光触媒効果を発揮することができる。さらに、光触媒活性を持たないセラミックスが埃や汚れなどを効率良く発現することができる。
【特許文献１】特開２００１−２３２２０６号公報
【発明の開示】
【発明が解決しようとする課題】
【０００４】
従来の埃の吸着を抑制するスプレーによるフィルターは、静電気の発生を抑えることにより、埃が物体に吸着されることを抑制する効果はあった、しかし埃が一度吸着されてしまえば効果を持続することができなかった。
【０００５】
また、埃は若干減少する程度で、室内の清掃は必要で、ハウスダストやアレルギーの問題に苦しむ家庭においては、問題の本質的解決には至らないことがほとんどであった。
【０００６】
次に、光触媒を応用した商品については、タイルや照明などにも応用されてきたが、消費者はその度に新しい製品に買い直さなくてはならなかったし、フィルターそのものを形成できるような製品は見られなかった。
【０００７】
上記の理由から従来、光触媒を応用した製品というのは手軽さ・使いやすさという点で課題があった。
【０００８】
本発明は、かかる問題点を解決するべく考案されたもので、その技術的課題は、チタン化合物の基本特性を活かし、かつ手軽な方法で半永久的な効果をもつ光触媒の被膜を形成できる製品を提供することにある。
【課題を解決するための手段】
【０００９】
本発明は、上記目的を達成するため、請求項１記載の発明は、光触媒としての活性を持つチタン化合物と高分子ポリマーから形成される樹脂、および前記２つの物質と不活性な性質を持つ有機溶剤と噴射ガスを混合した内容物で対象物に光触媒膜を形成するノズルから噴射する液状フィルターを特徴とする。
【００１０】
また、請求項２記載の発明は、光触媒としての活性を持つチタン化合物と高分子ポリマーから形成される樹脂から形成された対象物に貼り付けて使用するシート状フィルターを特徴とする。
【発明の効果】
【００１１】
本発明は、チタンの化合物の基本特性を使用して光触媒効果を持たせるとともに、一定の可視光および紫外光を吸収することで半永久的な効果を持続することを目的としている。
【００１２】
特に、本発明のフィルターを使用することで、対象物を清掃する機会は半減し、さらに常にクリーンな状態が保たれることにより、省エネ効果も期待できる。
【００１３】
本発明の使用により、室内のハウスダストの原因物質やアレルギーの原因物質が一部分解される。これにより、空気清浄機等の使用がなくとも、一定の空気浄化の作用が働く、そのため、使用者の健康状態が向上する。
【発明を実施するための最良の形態】
【００１４】
高分子ポリマーにより形成されたフィルターにチタン化合物を混合することで清掃の機会を減少させることができるフィルターを実現した。
【実施例】
【００１５】
以下に実施例を挙げ、本発明のチタン化合物を含む高分子ポリマーのフィルターについて、図面を参照して詳細に説明する。
【００１６】
本発明のフィルターは、可視光・紫外光の照射下で光触媒作用を示すチタン化合物と、それを含む高分子ポリマー材料からなるフィルターである。
図１は、この発明に係わる使用事例のテレビジョン画面にシート状フィルターが貼着した
イメージ図である。
図２は、この発明に係わる使用事例の窓ガラスにシート状フィルターが貼着したイメー
ジ図である。
図３は、この発明に係わるスプレーで対象物に液状フィルターを噴着するイメージ図であ
る。
【００１７】
図１において、テレビジョン１の画面は静電気を帯びやすく、そのため埃をその表面に吸着し易い、本発明のシート状フィルター２をテレビジョン画面に貼着すると、テレビジョン画面から照射される可視光線あるいは紫外線を吸収し、埃を分解する。
【００１８】
テレビジョン画面は自浄作用を持ち、清掃の機会が減少する。また常に明るい状態が保たれるので過剰な明るさは必要でなくなり、省エネ効果も期待できる。
【００１９】
テレビジョン１の画面と同様にパーソナルコンピュータの画面にも同じような効果が期待できる。
【００２０】
図２において、本発明のシート状フィルター２を窓ガラスの外側に貼着すると、太陽光や蛍光灯等の光があたるたびに触媒が活性化し、表面の汚れを光触媒作用により分解するので、その表面は汚れ難く、水をかけるなどの簡単な作業で汚れを落とすことができる。
【００２１】
さらに、本発明のシート状フィルター２を窓ガラスの内側に貼着すると、室内のカビ粒子や有害物質を吸着し、光が照射されるたびに吸着した物質を分解する。
【００２２】
上記効果は半永続的に期待できるので、電気やガスを使用しない簡易空気清浄機としての効果も期待できる。
【００２３】
図３において、液状フィルターをスプレーの噴射により噴着された皮膜は、使用する製品に影響がないように透明な皮膜で形成され、汚れがひどい場合は使用者によって、濡れ雑巾等によるふき取りが予想されため、被膜は非水溶性の樹脂材が溶存する。
【００２４】
一般に、セラミックの内部に存在する空洞に汚れや埃は吸着されているが、セラミックの種類によりこれらの空洞の大きさは制御可能であり、空洞に合わせて使用する樹脂の平均分子量を調整すれば、被膜の耐久性を更に向上することができる。
【産業上の利用可能性】
【００２５】
本発明は、光触媒作用をもつチタン化合物をコーティングするセラミックを変えることで、吸着する対象物を容易に制御できる点からも応用性は高い。
【００２６】
チタンは食品にも利用されるほど安全な物質であるため、専門知識がない使用者でも液状フィルターをスプレーで照射しても安全である。また、シート状フィルターはカッターや鋏等で簡単に切断することができるので平面のものに簡単に貼着することができる。
【００２７】
上記液状フィルターやシート状フィルターは太陽光や蛍光灯等の光以外には一切のエネ
ルギーを必要しないことから、多種多様な用途に適用でき応用性が高い。
【図面の簡単な説明】
【００２８】
【図１】この発明に係わる使用事例のテレビジョン画面にシート状フィルターが貼着したイメージ図である。
【図２】この発明に係わる使用事例の窓ガラスにシート状フィルターが貼着したイメージ図である。
【図３】この発明に係わるスプレーで対象物に液状フィルターを噴着するイメージ図である。
【符号の説明】
【００２９】
１  テレビジョン
２  シート状フィルター
３  窓ガラス
４  スプレー
５  対象物
６  液状フィルター
【図１】
2006110435.tif 000003
【図２】
2006110435.tif 000004
【図３】
2006110435.tif 000005